(57)【要約】【課題】複数の椅子を安全に収納することができる椅子の収納構造を提供する。【解決手段】支持面３１に固定される一対の支持枠体３３を所定間隔をもって設け、支持枠体３３の互いに対向する面にそれぞれ上下方向に延在する支持レール３６を設け、椅子１０を座面が下方を向くように重ねて収容するとともに、前脚板１４と後脚板１６とを連結する下部連結板２１の前端部に、支持レール３６に係止される係止突起２２を設けた。【選択図】図５
2016087104.tif 000002
【特許請求の範囲】
【請求項１】
座板を支持する前脚板と後脚板とを備えた椅子を収納するための椅子の収納構造において、
支持面に固定される一対の支持枠体を所定間隔をもって設け、前記支持枠体の互いに対向する面にそれぞれ上下方向に延在する支持レールを設け、前記椅子を前記座板が下方を向くように重ねて収容するとともに、前記前脚板と前記後脚板とを連結する下部連結板の前端部に、前記支持レールに係止される係止突起を設けたことを特徴とする椅子の収納構造。
【請求項２】
前記前脚板は、前記後脚板および前記下部連結板の内側に位置し、
前記椅子は、上側に位置する前記椅子の前記前脚板が下側に位置する前記椅子の前記後脚板および前記下部連結板の内側に入り込んだ状態で、互いに重ねて収納されることを特徴とする請求項１に記載の椅子の収納構造。
【請求項３】
前記椅子を前記座板が下方を向くように収容した場合に、前記前脚板の上端部に対して、常に、前記後脚板の上端側に重心が位置するよう構成されていることを特徴とする請求項１または請求項２に記載の椅子の収納構造。
【発明の詳細な説明】
【技術分野】
【０００１】
本発明は、椅子の収納構造に係り、特に、複数の椅子を上下に重ねて収納するための椅子の収納構造に関する。
【背景技術】
【０００２】
一般に、保育園や幼稚園などでは、室内の床面積を広く確保するために、椅子や机などの備品を収容する収納スペースを設けていないことが多い。そのため、椅子などを片付ける必要があるときには、保育室の片隅に複数の椅子をスタッキングして置くのが一般的である。
このような椅子をスタッキングするものとして、従来、例えば、左右一対の支持体を、下方へ向けて前後に等しい角度で開いた前脚杆と後脚杆とで構成するとともに、前脚杆の上端から後方へ斜め上方に傾斜した傾斜杆を設け、垂直スタッキング時に上下の椅子の前脚杆同士と後脚杆同士がそれぞれ接合するとともに、上下の椅子の傾斜杆の間に隙間が形成されるものであり、限られたスペースに効率良く複数の椅子を収納することができるようにした技術が開示されている（例えば、特許文献１参照）。
【先行技術文献】
【特許文献】
【０００３】
【特許文献１】特開２０１１−１３６１０１号公報
【発明の概要】
【発明が解決しようとする課題】
【０００４】
しかしながら、前記特許文献１においては、複数スタッキングされた椅子は、地震などの振動により倒れるおそれがあるという問題を有している。また、保育園や幼稚園などにおいては、つかまり立ちを始めた乳児がスタッキングされた椅子につかまった場合に、スタッキングされた椅子が倒れてしまう危険性があるという問題を有している。
本発明は、前記した点に鑑みてなされたものであり、複数の椅子を安全に収納することができる椅子の収納構造を提供することを目的とする。
【課題を解決するための手段】
【０００５】
前記目的を達成するために、本発明は、座板を支持する前脚板と後脚板とを備えた椅子を収納するための椅子の収納構造において、支持面に固定される一対の支持枠体を所定間隔をもって設け、前記支持枠体の互いに対向する面にそれぞれ上下方向に延在する支持レールを設け、前記椅子を前記座板が下方を向くように重ねて収容するとともに、前記前脚板と前記後脚板とを連結する下部連結板の前端部に、前記支持レールに係止される係止突起を設けたことを特徴とする。
【０００６】
また、前記収納構造において、前記前脚板は、前記後脚板および前記下部連結板の内側に位置し、前記椅子は、上側に位置する前記椅子の前記前脚板が下側に位置する前記椅子の前記後脚板および前記下部連結板の内側に入り込んだ状態で、互いに重ねて収納されることを特徴とする。
【０００７】
また、前記収納構造において、前記椅子を前記座板が下方を向くように収容した場合に、前記前脚板の上端部に対して、常に、前記後脚板の上端側に重心が位置するよう構成されていることを特徴とする。
【発明の効果】
【０００８】
本発明によれば、椅子を座面が下方を向くように重ねて収容するとともに、下部連結板の前端部に形成された係止突起を支持レールに係止させて収納するようにしているので、複数の椅子が重ねて収納された場合に、係止突起が支持枠体の支持レールに係止された状態で支持されることから、重ねて収納された椅子を確実に支持することができる。その結果、万一、地震などが発生したり、また、幼児が椅子にぶつかったりした場合でも、椅子が崩れてしまうことがなく、安全性を高めることができる。
【図面の簡単な説明】
【０００９】
【図１】本発明に係る椅子の収納構造に適用される椅子の実施形態を示す斜視図である。
【図２】収納構造を構成する椅子の背面図である。
【図３】収納構造を構成する椅子の側面図である。
【図４】収納構造を構成する収納用枠の斜視図である。
【図５】収納構造による椅子の収納状態を示す側面図である。
【発明を実施するための形態】
【００１０】
以下、本発明の実施形態について図面を参照して説明する。
図１は、本発明に係る椅子の収納構造に適用される椅子の実施形態を示す斜視図である。図２は椅子の背面図、図３は椅子の側面図である。
図１から図３に示すように、椅子１０は、利用者が座るための平板状の座板１１を備えている。座板１１の上面には、円形状のくぼみ１２が形成されている。座板１１の両側部には、一対の座板支持板１３，１３がいわゆるほぞ接ぎなどの手段により一体に接合されている。
各座板支持板１３の前端部には、下方に延在する一対の前脚板１４，１４がほぞ接ぎなどの手段により一体に接合されている。前脚板１４と座板支持板１３とは、同じ厚さ寸法に形成されており、前脚板１４と座板支持板１３との内側および外側の面は、面一となるように形成されている。また、各前脚板１４の上下方向におけるほぼ中間位置には、各前脚板１４を連結する前脚補強板１５がほぞ接ぎなどの手段により接合されている。
【００１１】
また、各座板支持板１３の後端部両側には、一対の後脚板１６，１６が一体に取り付けられている。後脚板１６は、座板１１の上方に延在する背もたれ支持部１７と、座板１１の下方に延在する後脚部１８とから構成されている。後脚板１６は、座板１１の取り付け位置から上方に向けてわずかに後方に反った形状を有している。後脚板１６は、座板支持板１３の両側面から後脚板１６の板厚の分だけ両側外方に突出するように構成されている。
各後脚板１６の背もたれ支持部１７には、各背もたれ支持部１７を連結する背もたれ板１９がほぞ接ぎなどの手段により一体に接合されている。背もたれ板１９の中央部分には、長穴２０が形成されており、デザイン的な機能の他、椅子１０を持ち上げる際の取っ手としても機能する。
【００１２】
各後脚板１６の下端部と各前脚板１４の下端部との間には、一対の下部連結板２１，２１が取り付けられており、下部連結板２１と後脚板１６とは、同じ厚さ寸法に形成されている。これにより、後脚板１６と下部連結板２１との内側および外側の面は、面一となるように形成されており、後脚板１６および下部連結板２１は、座板支持板１３および前脚板１４の外側面より、板厚の分だけ両側に突出するように形成されている。
【００１３】
また、各下部連結板２１の先端部外側面には、それぞれ円柱状の係止突起２２，２２が外側に突出するように取り付けられている。
なお、前脚板１４の上端の前側角部、前脚板１４の下端角部、座板支持板１３の後端角部、後脚板１６の上端角部、下端の後側角部、下部連結板２１の前端角部などすべての角部は、曲面状に形成されており、例えば、幼児などが誤って衝突した場合でも、怪我をしないようになっている。
【００１４】
図４は、本発明に係る椅子１０の収納構造を構成する収納用枠を示す斜視図である。
図４に示すように、収納用枠３０は、例えば、室内の壁面などの支持面３１（図５参照）に固定される取り付け板３２を備えている。取り付け板３２の両側部には、一対の支持枠体３３が取り付けられている。支持枠体３３の下端部は、室内の床面３４に支持される脚３５とされており、支持枠体３３の脚３５を室内の床面３４に支持させた状態で、支持面３１に取り付け板３２を固定することにより、収納用枠３０を支持面３１に強固に取り付けるように構成されている。
また、各支持枠体３３の互いに対向する面には、それぞれ上下方向に延在する支持レール３６が内側に突出するように取り付けられている。各支持レール３６の上端後面側には、後方に突出するストッパ用突部３７が形成されている。
【００１５】
図３および図４に示すように、各支持枠体３３の間隔寸法ａは、下部連結板２１に形成された係止突起２２の先端面の幅寸法ｂよりわずかに大きくなるように形成されている。また、支持レール３６の間隔寸法ｃは、椅子１０の後脚板１６および下部連結板２１の幅寸法ｄよりわずかに大きく形成されるとともに、係止突起２２の先端面の幅寸法ｂより小さく形成されている。このように構成することにより、各支持レール３６の間に、最も幅寸法の大きい後脚板１６および下部連結板２１を挿入することができる。
また、支持レール３６の間隔寸法ｃを係止突起２２の先端面の幅寸法ｂより小さく形成することにより、係止突起２２を支持レール３６の後面側に位置させるように椅子１０を支持レール３６の上方から挿入した場合に、支持レール３６の後面に係止突起２２を係止させて、椅子１０が支持レール３６の前面側に抜けてしまうことを防止することができる。
【００１６】
次に、本実施形態において椅子１０を収納する手順について説明する。
図５は、収納用枠３０に椅子１０が収納された状態を示す側面図である。図５に示すように、本実施形態においては、椅子１０の座板１１の上面を下方に向けた状態で、椅子１０の下部連結板２１を支持枠体３３の上方から支持枠体３３の間に挿入させるとともに、係止突起２２が支持レール３６の後方側に位置するように挿入させる。
これにより、椅子１０は、前脚板１４の上端部と後脚板１６の上端部とを床面３４に当接させた状態で、床面３４上に支持される。さらに、本実施形態においては、係止突起２２が支持レール３６の後面側に当接した状態で、保持されることになる。
【００１７】
このとき、前脚板１４の上端部を中心として、図５において時計回りに椅子１０が回動すると、支持レール３６の後面側から係止突起２２が離れ、支持レール３６に対する係止突起２２の係止状態が解除されることがある。しかしながら、本実施形態においては、このような場合においても、下部連結板２１の前端部が取り付け板３２に当接することで、それ以上、椅子１０が回動してしまうことはない。
ただし、前脚板１４の上端部と後脚板１６の上端部とを床面３４に当接させて安定して支持することができるように、後脚板１６の長さなどを調整して、座板１１を下方に向けた状態で、前脚板１４の上端部に対して、下部連結板２１側に重心が位置せず、常に、後脚板１６の上端側に重心が位置するよう構成するのが好ましい。
【００１８】
続いて、同様に椅子１０を支持枠体３３の上方から挿入することにより、椅子１０の座板支持板１３および前脚板１４が既に収納されている椅子１０の後脚板１６および下部連結板２１の間に入り込み、新たに挿入した椅子１０の座板支持板１３および前脚板１４が、それぞれ既に収納された椅子１０の座板支持板１３および前脚板１４の後面に当接し、新たに挿入した椅子１０の後脚板１６および下部連結板２１が、それぞれ既に収納された後脚板１６および下部連結板２１に当接した状態で、重なり合って支持される。
このとき、座板支持板１３の下面に、例えば、ゴム、プラスチック、フェルトなどの弾性材料からなる緩衝部材を設けるようにすれば、椅子１０を重ね合わせた場合に、下側の椅子１０と上側の椅子１０との座板支持板１３が緩衝部材を介して当接することになるので、各椅子１０同士を重ねる場合に、椅子１０に傷が付いてしまうことを防止することが可能となる。
【００１９】
そして、前述のように、椅子１０を支持枠体３３の間に順次挿入することにより、各椅子１０を互いに重なり合った状態で、かつ、係止突起２２が支持枠体３３の支持レール３６に係止された状態で、収納されるようになっている。このように、各椅子１０が収納された状態で、係止突起２２が支持枠体３３の支持レール３６に係止された状態で支持されることから、係止突起２２により椅子１０が図５において、反時計回りに回転してしまうことがなく、重ねて収納された椅子１０を確実に支持することができる。
【００２０】
なお、椅子１０は、支持レール３６の上端部に係止突起２２が位置する高さまで、重ねて収納することができ、支持レール３６の上端部にストッパ用突部３７を設けるようにしているので、最上部の椅子１０の係止突起２２が支持レール３６から外れてしまうことを防止することができる。そして、最上部の椅子１０を取り出す場合は、係止突起２２をストッパ用突部３７の後方からストッパ用突部３７を避けて引き回すことにより、容易に取り出すことが可能である。
【００２１】
以上述べたように、本実施形態においては、支持面３１に固定される一対の支持枠体３３を所定間隔をもって設け、支持枠体３３の互いに対向する面にそれぞれ上下方向に延在する支持レール３６を設け、椅子１０を座板１１が下方を向くように重ねて収容するとともに、下部連結板２１の前端部に形成された係止突起２２を支持レール３６に係止させて収納するようにしているので、複数の椅子１０が重ねて収納された場合に、係止突起２２が支持枠体３３の支持レール３６に係止された状態で支持されることから、重ねて収納された椅子１０を確実に支持することができる。その結果、万一、地震などが発生したり、また、幼児が椅子１０にぶつかったりした場合でも、椅子１０が崩れてしまうことがなく、安全性を高めることができる。
【００２２】
さらに、椅子１０を重ねて収納することができるため、収納時における場所を確保する必要がなく、少ないスペースで椅子１０を収納することができる。
また、上側に位置する椅子１０の前脚板１４が下側に位置する椅子１０の後脚板１６および下部連結板２１の内側に入り込んだ状態で、互いに重ねて収納するようにしているので、複数の椅子１０を重ねて収納した場合でも、高さ方向のスペースが少なくて済み、コンパクトに収納することができる。
【００２３】
なお、本発明は前記実施形態に限定されるものではなく、本発明の趣旨に基づいて種々の変形が可能である。
【符号の説明】
【００２４】
１０  椅子
１１  座板
１３  座板支持板
１４  前脚板
１５  前脚補強板
１６  後脚板
１７  背もたれ支持部
１８  後脚部
１９  背もたれ板
２１  下部連結板
２２  係止突起
３０  収納用枠
３１  支持面
３２  取り付け板
３３  支持枠体
３４  床面
３６  支持レール
３７  ストッパ用突部
【図１】
2016087104.tif 000003
【図２】
2016087104.tif 000004
【図３】
2016087104.tif 000005
【図４】
2016087104.tif 000006
【図５】
2016087104.tif 000007